(57)【要約】      （修正有）【課題】コップを提供する。【解決手段】このコップ２０は下カップ２１と上カップ２２、及びボトルキャップ２３で構成され、該下カップの上端に開口２１１が設けられて飲料及び氷を入れるのに供され、上カップは下カップに結合され、その上部に飲用或いはストローを差し込むための瓶口２２１が設けられ、ボトルキャップは該瓶口を封じるのに用いられる。下カップの開口より飲料及び氷を入れ、さらに上カップを下カップに結合させた後、瓶口より直接飲用でき、或いはストローで飲用でき、氷を入れることにより炭酸ガスの保存時間を延長でき、収容した飲料を長時間おいしく冷たく維持でき、また上カップと下カップを開放後に容易に洗浄して繰り返し使用できる。【選択図】図３
0003162106.tif 000002
【実用新案登録請求の範囲】
【請求項１】
コップにおいて、
上端に開口が設けられて飲料及び氷を収容する収容空間が形成された下カップと、
該下カップと組み合わされて該下カップの開口を封じる上カップと、
を包含したことを特徴とするコップ。
【請求項２】
請求項１記載のコップにおいて、該上カップに飲用口が設けられ、該飲用口がシール部品で封じられたことを特徴とするコップ。
【請求項３】
請求項２記載のコップにおいて、該上カップの飲用口が瓶口に成形されたことを特徴とするコップ。
【請求項４】
請求項２記載のコップにおいて、該シール部品がボトルキャップとされたことを特徴とするコップ。
【請求項５】
請求項３又は４記載のコップにおいて、該上カップの瓶口がボトルキャップとネジの嵌め合いにより結合されたことを特徴とするコップ。
【請求項６】
請求項１記載のコップにおいて、該上カップと該下カップの結合部分にそれぞれ接続セクションが設けられたことを特徴とするコップ。
【請求項７】
請求項６記載のコップにおいて、該下カップの接続セクションと該上カップの接続セクションにそれぞれネジ山が設けられたことを特徴とするコップ。
【請求項８】
請求項６記載のコップにおいて、該下カップの接続セクションと該上カップの接続セクションにそれぞれ溝とフックが設けられたことを特徴とするコップ。
【請求項９】
請求項６記載のコップにおいて、該下カップの接続セクションと該上カップの接続セクションにそれぞれリップと環状溝が設けられたことを特徴とするコップ。
【考案の詳細な説明】
【技術分野】
【０００１】
本考案は一種のコップに係り、特に氷を入れるのに便利で、並びに炭酸ガスの保存時間を延長でき、収容した飲料を長時間おいしく冷たく維持でき、また上カップと下カップを開放後に容易に洗浄して重複利用でき、また日増しに厳重となる環境保護問題を軽減し、資源上の浪費を節約する、コップに関する。
【背景技術】
【０００２】
現在市販されているＰＥＴボトル飲料は図１に示されるように、一体成形の瓶体１１で販売され、瓶体１１内に飲料が収容され、瓶体１１上方の瓶口１２が使用者の直接飲用、或いはストローを差し込むのに供される。
【０００３】
実務上、ソーダ、コーラ等の炭酸飲料は、氷を入れることで炭酸ガスの急速な流失を防止して、良好なガス含有量を獲得でき、炭酸飲料に良好な味と冷たさを維持させることができる。しかし、伝統的なＰＥＴボトルの瓶口は狭く、氷を瓶口からボトル内に入れることができない。
【０００４】
また、一般にソーダマシンの炭酸飲料は、通常使い捨てカップに盛られ、氷を入れて飲用できるが、使い捨てであるため資源の浪費を形成し、環境保護の原則に符合しない。
【０００５】
さらに、一般に飲料の携帯用カップは、封口式或いは蓋式とされ、両者はいずれも重複使用できず、資源の浪費を増加する。後者は蓋と容器の間の結合強度が不十分で、倒れて漏洩する現象がよく発生し、不便である。飲料携帯用カップを洗って重複使用できれば、消費者が再度飲料を購入する時、商店は優待価格で提供でき、消費者の購入意欲を鼓舞し、資源を節約し、双方にとって、メリットがある。
【考案の概要】
【考案が解決しようとする課題】
【０００６】
本考案の主要な目的は、氷を入れやすく、炭酸ガスの保存時間を延長でき、炭酸飲料に長時間おいしさと冷たさを維持させられるコップを提供することにある。
【０００７】
本考案の次の目的は、日増しに厳重となる環境保護問題と資源の浪費を軽減するコップを提供することにある。
【課題を解決するための手段】
【０００８】
上述の目的を達成するため、本考案のコップは下カップと上カップ、及びボトルキャップで構成され、該下カップの上端に開口が設けられて飲料及び氷を入れるのに供され、上カップは下カップに結合され、その上部に飲用或いはストローを差し込むための瓶口が設けられ、ボトルキャップは該瓶口を封じるのに用いられる。
【考案の効果】
【０００９】
本考案のコップは、下カップの開口より飲料及び氷を入れ、さらに上カップを下カップに結合させた後、瓶口より直接飲用でき、或いはストローで飲用でき、氷を入れることにより炭酸ガスの保存時間を延長でき、収容した飲料を長時間おいしく冷たく維持でき、また上カップと下カップを開放後に容易に洗浄して重複利用でき、また日増しに厳重となる環境保護問題を軽減し、資源上の浪費を節約する。
【図面の簡単な説明】
【００１０】
【図１】周知のＰＥＴボトルの外観構造図である。
【図２】本考案の第１実施例の外観立体図である。
【図３】本考案の第１実施例の構造分解図である。
【図４】本考案の第２実施例の構造分解図である。
【図５】本考案の第３実施例の構造分解図である。
【図６】本考案のコップの使用状態参考図である。
【考案を実施するための形態】
【００１１】
本考案の特徴について、本考案の図面及び実施例を参照して詳細に説明し、明白にご理解いただけるようにする。
【００１２】
図２及び図３に示されるように、本考案のコップ２０は、下カップ２１、上カップ２２及びボトルキャップ２３のようなシール部品で構成される。
【００１３】
そのうち、該下カップ２１の上端に開口２１１が設けられ、飲料及び氷を入れるのに便利な収容空間が形成されている。
【００１４】
該上カップ２２は下カップ２１と結合されて下カップ２１の開口２１１を封じ、該上カップ２２の上部に飲料或いはストローを通過させられる飲用口が設けられ、本実施例では該飲用口は成形された瓶口２２１とされ、ボトルキャップ２３のようなシール部品が密接に結合される。
【００１５】
該下カップ２１と該上カップ２２はそれぞれプラスチックで一体成形され、重量が軽く、衝撃に耐え、気密性が良好で強度があり、透明度が良好で、重複使用可能な物性を有する。
【００１６】
該ボトルキャップ２３は上カップ２２の瓶口２２１に伝統的なネジの嵌め合い方式で結合されて、上カップ２２の瓶口２２１を封じる。
【００１７】
上述の下カップ２１と上カップ２２の結合部分にはそれぞれ接続セクション２１２、２２２が設けられて、上カップ２２、下カップ２１の密接な結合効果を高める。
【００１８】
具体的に実施される時、下カップ２１の接続セクション２１２と上カップ２２の接続セクション２２２にそれぞれネジ山２１３、２２３が設けられ、螺合方式で該上カップ２２と下カップ２１が結合される。
【００１９】
あるいは図４に示されるように、下カップ２１の接続セクション２１２と上カップ２２の接続セクション２２２にそれぞれ溝２１４とフック２２４が設けられ、係合方式で上カップ２２と下カップ２１が結合される。
【００２０】
あるいは図５に示されるように、下カップ２１の接続セクション２１２と上カップ２２の接続セクション２２２にそれぞれリップ２１５と環状溝２２５が設けられ、圧接方式で上カップ２２と下カップ２１が結合される。
【００２１】
図４及び図５に示される上カップ２２と下カップ２１は係合あるいは圧接方式で組合せを完成するため、上カップ２２と下カップ２１の結合部分は円形断面の制限を受けない。
【００２２】
本考案のコップ２０を使用する時は、下カップ２１の開口部分より飲料と氷を入れた後、さらに図６に示されるように、上カップ２２と下カップ２１を結合すれば、氷３０が一種類あるいは二種類以上の飲料４０と共にコップ２０内に収容され、これにより、コップ２０を横置き或いは倒しても、飲料がこぼれることがない。
【００２３】
飲料を飲用する時は、瓶口のボトルキャップを開け、直接瓶口より飲用するか或いはストローで飲用する。飲料は氷と共にコップに入れられているため、氷の降温作用とコップの密閉作用で炭酸ガスの保存時間が延長され、収容された炭酸飲料が長時間おいしさと冷たさを維持できる。
【００２４】
このほか、本考案はコップの上カップと下カップを分離した後に簡単に洗うことができ、コップを重複使用でき、これにより日増しに厳重となる環境保護問題を軽減し、資源上の浪費を節約する。
【００２５】
本考案の技術内容と技術特徴は上述したとおりであるが、当業者が本考案に開示の内容に基づきなし得る細部の修飾或いは改変は、いずれも本考案の権利請求範囲内に属するものとする。
【符号の説明】
【００２６】
１１  瓶体
１２  瓶口
２０  コップ
２１  下カップ
２１１  開口
２１２  接続セクション
２１３  ネジ山
２１４  溝
２１５  リップ
２２  上カップ
２２１  瓶口
２２２  接続セクション
２２３  ネジ山
２２４  フック
２２５  環状溝
２３  ボトルキャップ
３０  氷
４０  飲料
【図１】
0003162106.tif 000003
【図２】
0003162106.tif 000004
【図３】
0003162106.tif 000005
【図４】
0003162106.tif 000006
【図５】
0003162106.tif 000007
【図６】
0003162106.tif 000008